(57)【要約】      （修正有）【課題】ダーツにおいて、先に標的に刺さったダーツに後から投げられたダーツが衝突することで、ダーツが弾き飛ばされたりしてゲームに不利益を生じる事が発生するのを防止するダーツを提供する。【解決手段】ダーツを構成するシャフト３部分をＪＩＳＫ７２１５で表示するデュロメータ硬さ５０以下の柔軟なプラスチックで構成することで先に標的に刺さったダーツに後から投げられたダーツが衝突しても大きく弾き飛ばされることがないように構成する。【選択図】図４
2014068785.tif 000002
【特許請求の範囲】
【請求項１】
ダーツのシャフト部を例えばＪＩＳK７２１５で表示するデュロメータ硬さ５０程度の柔軟性のあるプラスチックにて構成したダーツ。
【請求項２】
ダーツのシャフト部及びバレルと締結するシャフトネジ部を例えばＪＩＳK７２１５で表示するデュロメータ硬さ５０程度の柔軟性のあるプラスチックにて構成するために、硬度が高く強度の大きなシャフトに筒状の柔軟性のあるプラスチックで締結するネジ部とシャフトを一体構成し挿入被せることで構成されたダーツ。
【請求項３】
ダーツのシャフト部を例えばＪＩＳK７２１５で表示するデュロメータ硬さ５０程度の柔軟性のあるプラスチックにて構成するために、硬度が高く強度の大きなシャフトに柔軟性のあるプラスチックで筒状のシャフトを構成し挿入被せることで構成されたダーツ。
【発明の詳細な説明】
【技術分野】
【０００１】
本発明は壁などに設置された標的にダーツ（矢）を投擲し得点を競うスポーツ遊具に使
用されるダーツに関するものである。
【背景技術】
【０００２】
ダーツは得点を競うスポーツ競技としてプロ競技も行なわれ広く発展している。標的に
ダーツ（矢）を投擲し中心部に刺さることで中心部の高得点を競うものであり、いかに多くのダーツを標的の中心部に投げるかが競われる。そのためダーツは標的の中心にできるだけ集中して刺さることが要求される競技である。
【先行技術文献】
【特許文献】
【０００３】
このような従来のダーツとしては、例えば、下記特許文献１乃至３に開示されたダーツが知られている。
【特許文献１】特開２０１１−１９３９９０号  公報
【特許文献２】特開２０１１−１１０４１３号  公報
【特許文献３】実用新案登録第３１６０２８１号  公報
【発明の概要】
【発明が解決しようとする課題】
【０００４】
このようにダーツを投擲した場合に、先に投げたダーツが標的にささったまま、続けて
次のダーツを投げる場合、すでに標的に刺さったダーツに後から投げたダーツが衝突して
弾かれ先に刺さった標的位置の近くにダーツが刺さらないことが発生する。また先に標的
に刺さったダーツが弾かれて的より離脱するようなことが発生する。
【０００５】
本発明は、このような従来のダーツが有していた問題を解決しようとするものであり、
ダーツが衝突したとき弾かれたり弾き飛ばされたりすることを防止することを目的とする
ものである。
【課題を解決するための手段】
【０００６】
上記課題を解決するため、本発明はダーツが主に衝突する部分にダーツが衝突したときにダーツが弾き飛んだり、弾き飛ばされたりすることのないように、低弾性の柔らかい材質を用いたダーツに関するものである。
【発明の効果】
【０００７】
本発明のダーツでは、ダーツを続けて投げ、先に投げたダーツに衝突した場合でも大きく弾き飛ばされることなく先に刺さったダーツに近い位置の標的に刺さることが可能で、また先に標的に刺さったダーツが弾き飛ばされて離脱することがなく、競技などでは高得点を挙げることが可能である。
【図面の簡単な説明】
【０００８】
【図１】図１はダーツ（矢）に関する説明図である。
【図２】図２は本発明に至った課題を説明する図である。
【図３】図３は本発明の一例のダーツ構造を説明する図である。
【図４】図４は本発明の一例のダーツ構造を説明する図である。
【図５】図５は本発明の一例のダーツ構造を説明する図である。
【図６】図６は本発明の一例のダーツ構造を説明する図である。
【発明を実施するための形態】
【０００９】
以下、本発明の実施の構造について図面を参照しながら詳細に説明する。図１は一般的なダーツの構造で、先端にチップ１が取付けられて標的にこのチップ部先端が刺さることになる。チップ１はバレル２に取付けられる。バレル２は主に金属で構成されており重量がありダーツを遠くに投げるための効果がある。そしてシャフト３とフライト４がバレル２に取付けられる。一般的に取付けはバレルを雌ねじ、シャフトを雄ねじとするネジにより取付けられる。シャフト３とフライト４は通常は主に樹脂で射出成形され、フライト４はダーツが真直ぐ飛ぶための効果を有する。そしてシャフト３とフライト４は別々に成形され組合わされたり、又は一体構造で樹脂などによる射出成形で構成される。
【００１０】
図２は本発明に至った課題を説明する図である。図において先に投げられたダーツ１１は標的７に刺さった状態で、後から投げたダーツ２２が標的に刺さったダーツ１に衝突する状態を示す図である。バレル２は通常金属で構成されることからこのバレル部がシャフト３と衝突すると、従来のダーツでは衝突したダーツ２２はシャフト３の硬度が高いことから反発されて横に弾き飛ばされる事態が発生したり先に標的に刺さったダーツ１が弾き飛ばされて標的から離脱するような事態が発生する。
【００１１】
本発明はこれらに関してなされたもので、ダーツシャフト３部を柔軟性のある材質にて構成したダーツに関するものである。図３，図４，図５，図６に本発明ダーツのシャフトとフライト構造例を示す。図３は本発明の一例で一部シャフト３部の断面をしたダーツである。図３でダーツはシャフト３及びネジ３２フライト部分４を一体成型したもので材質を例えばＪＩＳＫ７２１５にて表示するデュロメータ硬さ５０以下の柔軟性のあるプラスチックにて成形したものである。図４は本発明の別の一例外観を示すもので、図５及び図６は図４における一部Ｚ−Ｚ断面を表示した本発明の構成の異なるダーツである。図５において、シャフト３は通常プラスチックにより射出成形にて構成されるが、本発明ではこのシャフト３部分で芯部に硬度の高い強度を持ったプラスチックなどでシャフト芯部３１として構成し、この部分に硬度が低い柔軟性のあるプラスチック例えばＪＩＳＫ７２１５にて表示するデュロメータ硬さ５０以下の柔軟性のあるプラスチックにて成形された筒形状のシャフト３３を挿入し接着などにて固定される。筒形状シャフト３２はバレル２に締結するためのネジ部３２と一体で成形されたシャフトでネジ部３２にも硬度の低い柔軟性のある材質が用いられた構成である。図６は同様にシャフト部を硬度の低い柔軟性のある材質とするための構成で、シャフト３の中心部３１がねじ３２と強度の高いプラスチックなどで一体成形されたシャフト３１に、衝突する部分のみを例えばＪＩＳＫ７２１５にて表示するデュロメータ硬さ５０以下の柔軟性のあるプラスチックで成形された筒状のシャフト３２を挿入することで構成されたシャフトを持つダーツである。
【００１２】
このようにダーツ投擲において、先に標的に投擲されたダーツはシャフト３が硬度の低いすなわち反発係数の小さな材料で構成されていることから、金属で構成されたバレル２がシャフト３に衝突しても弾き飛ばされることが無く先に標的に投擲されて刺さったダーツ１の近くの標的に刺さることになる。また先に標的に刺さったダーツ１が弾き飛ばされることが防止されることが可能である。
【符号の説明】
【００１３】
１１        ダーツ
２２        ダーツ
１        チップ
２        バレル
２１        バレル締結ネジ部
３        シャフト
３１        シャフト芯部
３２        シャフト芯部３１に挿入される筒状シャフト
４        フライト
７        標的
【図１】
2014068785.tif 000003
【図２】
2014068785.tif 000004
【図３】
2014068785.tif 000005
【図４】
2014068785.tif 000006
【図５】
2014068785.tif 000007
【図６】
2014068785.tif 000008